(57)【特許請求の範囲】
【請求項１】
ディスプレイが固定される固定部材と、該固定部材と壁などの被取付け面との間に設けられ、前記固定部材を左右に回動可能に支持する支持アームとを備え、前記支持アームに対し前記固定部材を左右に回動させることでディスプレイの左右の向きを調整できるディスプレイハンガーであって、
前記固定部材が前記支持アームに対して所定角度回動した位置で、該固定部材を該支持アームに解除可能に結合させる結合手段を設けてなることを特徴とするディスプレイハンガー。
【請求項２】
前記結合手段が、前記固定部材における前記支持アームとの枢支部から側方に離れた位置に設けられる合着部と、前記支持アームにおける前記所定の回動位置で前記合着部に対向する位置に設けられる被合着部とを設けてなる請求項１記載のディスプレイハンガー。
【請求項３】
前記合着部及び被合着部が、互いに近づく方向に所定以上の力が作用することで係合し、且つ反対の離れる方向に所定以上の力が作用することで係合状態が解除する係合部及び被係合部である請求項２記載のディスプレイハンガー。
【請求項４】
前記合着部及び被合着部が、それぞれ前記固定部材及び前記支持アームに対して、着脱可能に取付けられる合着具、被合着具である請求項２又は３記載のディスプレイハンガー。
【請求項５】
前記支持アームが、一端側が被取付け面側のベース部材に回動可能に支持される第１のアーム部と、該第１のアームの他端側に回動自在に連結され、他端側に前記固定部材が回動可能に支持される第２のアーム部とを備え、
前記結合手段は、前記固定部材を前記所定角度回動した位置で前記第２のアーム部に結合させる第１の結合手段であり、
該第１の結合手段とは別に、前記第１のアーム部と第２のアーム部が重なる方向に互いに回動した所定位置で、前記固定部材を前記第１のアーム部に同じく解除可能に結合させる第２の結合手段を設けてなる請求項１〜４の何れか１項に記載のディスプレイハンガー。
【請求項６】
前記支持アームが、前記第１のアーム部と前記第２のアーム部とがそれぞれ左右一対づつ設けられ、左右それぞれ第１のアーム部と第２のアーム部とが回動可能に連結されたパンタ式アームであり、
前記第１の結合手段が、前記固定部材を前記所定角度回動した位置で左右のうち一方の第２のアーム部に結合させる手段であり、
前記第２の結合手段が、左右のうち他方の第１のアーム部と第２のアーム部が重なる方向に互いに回動した所定位置で、前記固定部材を当該他方の第１のアーム部に同じく解除可能に結合させる手段である請求項５記載のディスプレイハンガー。
【請求項７】
該第２のアーム部と、前記第１アーム部、ベース部材又は被取付け面との間に、両者の間の距離を、前記第２のアーム部が第１のアーム部に対して所定角度回動した位置で解除可能に維持させる突っ張り部材を設けてなる請求項５又は６記載のディスプレイハンガー。
【請求項８】
ディスプレイが固定される固定部材と、該固定部材と壁などの被取付け面との間に設けられ、前記固定部材を左右に回動可能に支持する支持アームとを備え、前記支持アームに対し前記固定部材を左右に回動させることでディスプレイの左右の向きを調整できるディスプレイハンガーであって、
前記支持アームと前記固定部材の回動支持部に、所定の角度だけ相対回動するごとに互いに回動不能に係合し、回動方向に所定以上の力が作用することで係合状態が解除する係合手段を設けてなり、
前記回動支持部は、前記固定部材の枢支部が固定される回動軸と、この周りを回動する前記支持アームの筒状先端部より構成され、
前記係合手段として、前記回動軸の外面に露出し、コイルばねによって突出方向にばね付勢された球体と、前記筒状先端部の内周面の周方向所定の角度おきに形成され、前記球体が係入する複数の凹溝とより構成されていることを特徴とするディスプレイハンガー。
【発明の詳細な説明】
【技術分野】
【０００１】
本発明は、薄型テレビや電子黒板等のディスプレイの左右の向きを調整できるディスプレイハンガーに関する。
【背景技術】
【０００２】
このようにディスプレイの左右の向きを調整できるディスプレイハンガーは、従来より種々提供されている（例えば、特許文献１参照。）。ところで、近年のディスプレイの大型化、薄型化に伴い、会議室や教室のプロジェクタースクリーンの代わりにこのようなディスプレイの利用が広がりを見せており、特に会議室や教室などでは、ディスプレイの設置個所として部屋の隅側に設置される場合が多いことから、上記のような左右の向きを調整できるディスプレイハンガーの需要も多くなっている。
【０００３】
ところで、ディスプレイが大型化、薄型化すると、左右の向きを変える際の回動範囲が大きくなるとともに、部屋に入りこんだ風や周囲の人の衝突、寄り掛かり等から外力を受ける可能性も高くなる。ディスプレイが大きいと回動軸に作用する力も大きくなる。したがって、例えば風や周囲の人などから外力を受けることでディスプレイが調整された位置からさらに回動してしまう可能性が生じ、ディスプレイが周囲の器物に当たることでパネル自体や器物（窓ガラス等）を破損したり、他の人に当たったり壁等の間に人が挟まる虞も生じるといった、従来想定されていない危険性が浮上する。
【０００４】
また、特にディスプレイが電子黒板など、画面上を指や専用ペンなどでタッチして操作するものの場合、大型化したディスプレイがタッチの力によって容易に後方へ回動してしまい、操作性が悪くなるとともに、回動による上記した破損などの危険性が同様に生じる虞がある。
【先行技術文献】
【特許文献】
【０００５】
【特許文献１】特開２００６−１４８５０４号公報
【発明の概要】
【発明が解決しようとする課題】
【０００６】
そこで、本発明が前述の状況に鑑み、解決しようとするところは、外力やタッチ操作によるディスプレイの回動を防止し、器物の破損や周囲の人への危険性を未然に回避できるとともにタッチ操作のパネルの場合の操作性も損なうことなく維持できるディスプレイハンガーを提供する点にある。
【課題を解決するための手段】
【０００７】
本発明は、前述の課題解決のために、ディスプレイが固定される固定部材と、該固定部材と壁などの被取付け面との間に設けられ、前記固定部材を左右に回動可能に支持する支持アームとを備え、前記支持アームに対し前記固定部材を左右に回動させることでディスプレイの左右の向きを調整できるディスプレイハンガーであって、前記固定部材が前記支持アームに対して所定角度回動した位置で、該固定部材を該支持アームに解除可能に結合させる結合手段を設けてなることを特徴とするディスプレイハンガーを構成した。
【０００８】
ここで、前記結合手段が、前記固定部材における前記支持アームとの枢支部から側方に離れた位置に設けられる合着部と、前記支持アームにおける前記所定の回動位置で前記合着部に対向する位置に設けられる被合着部とを設けたものが好ましい。
【０００９】
特に、前記合着部及び被合着部が、互いに近づく方向に所定以上の力が作用することで係合し、且つ反対の離れる方向に所定以上の力が作用することで係合状態が解除する係合部及び被係合部であることが好ましい。
【００１０】
また、前記合着部及び被合着部が、それぞれ前記固定部材及び前記支持アームに対して、着脱可能に取付けられる合着具、被合着具であることが好ましい。
【００１１】
また、前記支持アームが、一端側が被取付け面側のベース部材に回動可能に支持される第１のアーム部と、該第１のアームの他端側に回動自在に連結され、他端側に前記固定部材が回動可能に支持される第２のアーム部とを備え、前記結合手段は、前記固定部材を前記所定角度回動した位置で前記第２のアーム部に結合させる第１の結合手段であり、該第１の結合手段とは別に、前記第１のアーム部と第２のアーム部が重なる方向に互いに回動した所定位置で、前記固定部材を前記第１のアーム部に同じく解除可能に結合させる第２の結合手段を設けたものが好ましい。
【００１２】
特に、前記支持アームが、前記第１のアーム部と前記第２のアーム部とがそれぞれ左右一対づつ設けられ、左右それぞれ第１のアーム部と第２のアーム部とが回動可能に連結されたパンタ式アームであり、前記第１の結合手段が、前記固定部材を前記所定角度回動した位置で左右のうち一方の第２のアーム部に結合させる手段であり、前記第２の結合手段が、左右のうち他方の第１のアーム部と第２のアーム部が重なる方向に互いに回動した所定位置で、前記固定部材を当該他方の第１のアーム部に同じく解除可能に結合させる手段であることが好ましい。
【００１３】
さらに、該第２のアーム部と、前記第１アーム部、ベース部材又は被取付け面との間に、両者の間の距離を、前記第２のアーム部が第１のアーム部に対して所定角度回動した位置で解除可能に維持させる突っ張り部材を設けたものが好ましい。
【００１４】
また本発明は、ディスプレイが固定される固定部材と、該固定部材と壁などの被取付け面との間に設けられ、前記固定部材を左右に回動可能に支持する支持アームとを備え、前記支持アームに対し前記固定部材を左右に回動させることでディスプレイの左右の向きを調整できるディスプレイハンガーであって、前記支持アームと前記固定部材の回動支持部に、所定の角度だけ相対回動するごとに互いに回動不能に係合し、回動方向に所定以上の力が作用することで係合状態が解除する係合手段を設けてなることを特徴とするディスプレイハンガーをも提供する。
【発明の効果】
【００１５】
以上にしてなる本願発明に係るディスプレイハンガーによれは、固定部材が支持アームに対して所定角度回動した位置で、該固定部材を該支持アームに解除可能に結合させる結合手段を設けたので、ディスプレイを固定した固定部材が結合手段によって前記所定の角度位置で固定され、ディスプレイも当該所定の角度の向きに固定される。したがって、風や人からの外力やタッチ操作による力を受けてもディスプレイは回動することなく安定した姿勢を保ち、器物の破損や周囲の人への危険性を未然に回避でき、さらにディスプレイがタッチ操作のパネルの場合における操作性についても損なうことなく維持することができる。
【００１６】
また、結合手段が、固定部材における支持アームとの枢支部から側方に離れた位置に設けられる合着部と、支持アームにおける所定の回動位置で合着部に対向する位置に設けられる被合着部とを設けてなるので、回動軸でロックするような複雑な構造を設けることなく、簡易な構造でより確実に外力による回動を防止することができる。
【００１７】
また、合着部及び被合着部が、互いに近づく方向に所定以上の力が作用することで係合し、且つ反対の離れる方向に所定以上の力が作用することで係合状態が解除する係合部及び被係合部であるので、ディスプレイの後方に回り込んで結合手段を操作する必要がなく、単にディスプレイごと固定手段を前側から押して上記互いに近づく方向、又は離れる方向に回動させることで係合／解除を行うことができ、操作性を著しく向上させることができる。
【００１８】
また、合着部及び被合着部が、それぞれ固定部材及び支持アームに対して、着脱可能に取付けられる合着具、被合着具であるので、従来から公知の既存の固定部材、支持アームに前記合着具および被合着具を取付けるだけで、本発明を構成することが可能となり、適用の幅を広げることができる。
【００１９】
また、支持アームが、一端側が被取付け面側のベース部材に回動可能に支持される第１のアーム部と、該第１のアームの他端側に回動自在に連結され、他端側に前記固定部材が回動可能に支持される第２のアーム部とを備え、第１のアーム部と第２のアーム部が重なる方向に互いに回動した所定位置で、固定部材を第１のアーム部に同じく解除可能に結合させる第２の結合手段を設けてなるので、当該第２の結合手段によってディスプレイを被取付け面に近づけた位置に安定保持させることができる。
【００２０】
また、支持アームが、第１のアーム部と第２のアーム部とがそれぞれ左右一対づつ設けられ、左右それぞれ第１のアーム部と第２のアーム部とが回動可能に連結されたパンタ式アームであり、第１の結合手段が、固定部材を所定角度回動した位置で左右のうち一方の第２のアーム部に結合させる手段であり、第２の結合手段が、左右のうち他方の第１のアーム部と第２のアーム部が重なる方向に互いに回動した所定位置で、固定部材を当該他方の第１のアーム部に同じく解除可能に結合させる手段としたので、双方の結合手段によってアーム部が折り畳んだ状態に安定保持されるとともに、ディスプレイも被取付け面に近い位置に安定保持させることができる。
【００２１】
また、第２のアーム部と、第１アーム部、ベース部材又は被取付け面との間に、両者の間の距離を、第２のアーム部が第１のアーム部に対して所定角度回動した位置で解除可能に維持させる突っ張り部材を設けてなるので、ディスプレイの回動だけでなく、アーム部自体が同じく外力を受けて折り畳まれてしまうことを回避できる。
【００２２】
また、前記支持アームと前記固定部材の回動支持部に、所定の角度だけ相対回動するごとに互いに回動不能に係合し、回動方向に所定以上の力が作用することで係合状態が解除する係合手段を設けたので、ディスプレイを固定した固定部材が係合手段によって回動不能に係合されることで所定の角度位置に固定され、ディスプレイも当該所定の角度の向きに固定される。したがって、風や人からの外力やタッチ操作による力を受けてもディスプレイは回動することなく安定した姿勢を保ち、器物の破損や周囲の人への危険性を未然に回避でき、さらにディスプレイがタッチ操作のパネルの場合における操作性についても損なうことなく維持することができる。
【図面の簡単な説明】
【００２３】
【図１】本発明の第１実施形態に係るディスプレイハンガーを示す斜視図。
【図２】同じくディスプレイハンガーの合着具、被合着具を示す斜視図。
【図３】同じくディスプレイハンガーの第１の結合手段による結合状態を示す平面図。
【図４】同じく第１の結合手段、第２の結合手段双方を結合させる様子を説明する平面図。
【図５】同じく突っ張り手段を設けた変形例を示す平面図。
【図６】同じく側面図。
【図７】本発明の第２実施形態に係るディスプレイハンガーを示す斜視図。
【図８】同じくディスプレイハンガーの第１の結合手段による結合状態を示す平面図。
【図９】同じくディスプレイハンガーの第１の結合手段を結合させてアームを折り畳む様子を説明する平面図。
【図１０】同じくディスプレイハンガーの突っ張り手段を設けた変形例を示す平面図。
【図１１】本発明の第３実施形態に係るディスプレイハンガーを示す平面図。
【図１２】同じくディスプレイハンガーの第１の結合手段を結合させてアームを折り畳む様子を説明する平面図。
【図１３】同じくディスプレイハンガーの突っ張り手段を設けた変形例を示す平面図。
【図１４】本発明の第４実施形態に係るディスプレイハンガーの要部を示す断面図。
【発明を実施するための形態】
【００２４】
次に、本発明の実施形態を添付図面に基づき詳細に説明する。
【００２５】
まず、図１〜図６に基づき、第１実施形態を説明する。
【００２６】
本実施形態のディスプレイハンガー１は、ディスプレイＤが固定される固定部材２と、該固定部材２と壁などの被取付け面Ｗとの間に設けられ、固定部材２を左右に回動可能に支持する支持アーム３とを備え、支持アーム３に対し固定部材２を左右に回動させることでディスプレイＤの左右の向きを調整できるものであり、特に、固定部材２が支持アーム３に対して所定角度回動した位置で、固定部材２を該支持アーム３に解除可能に結合させる結合手段４が設けられ、これにより所定の角度にディスプレイＤの向きを固定できることを特徴としたものである。
【００２７】
ディスプレイＤとしては、薄型テレビや電子黒板など、公知の種々のディスプレイを適用できる。また、被取付け面Ｗについても、公知の種々のディスプレイハンガーと同様、壁、柱、天井など様々な面を被取付け面とすることができる。
【００２８】
固定部材２は、本例では上下の横杆２１、２２と左右の縦杆２３、２４とより枠状に構成され、上下の横杆２１、２２の各中央部には、後述する支持アーム３の回動軸３８に固定される枢支部２０が設けられており、左右の縦杆２３、２４にディスプレイ裏面に螺合される取付けネジ２６を挿通する取付け孔２５を複数形成したものである。ただし、本発明の固定部材２はこのような構造に何ら限定されず、ディスプレイＤを固定するための従来から公知の固定部材２を広く採用できる。
【００２９】
支持アーム３は、一端側が被取付け面Ｗ側のベース部材３０に回動可能に支持される第１のアーム部３Ａと、該第１のアーム部３Ａの他端側に回動自在に連結され、他端側に固定部材２が回動可能に支持される第２のアーム部３Ｂとを備えている。より具体的には、第１のアーム部３Ａと第２のアーム部３Ｂとがそれぞれ左右一対づつ設けられたパンタ式アームであり、第１のアーム部３Ａを構成する左右の第１アーム３１、３２に対し、第２のアーム部３Ｂを構成する左右の第２アーム３３、３４がそれぞれ回動可能に連結され、第２のアーム３３、３４の先端部はそれぞれ固定部材２の枢支部２０が固定される回動軸３８に対し、回動可能に支持されている。
【００３０】
結合手段４は、固定部材２を支持アーム３に解除可能に結合させる手段であり、ネジ止めや特定な方向に操作することで解除できるロック機構、或いは電気的な操作によって解除できる電気ロック機構なども含むが、本例では固定部材２における支持アーム３との枢支部２０から側方に離れた位置に設けられる合着部４１と、図３に示すように所定の角度に固定部材２を回動させた位置で合着部４１に対向する支持アーム３の位置に設けられる被合着部４０とよりなる構成されている。このように合着するだけで結合可能に構成すれば、ディスプレイの裏に回り込むことなく、容易に結合操作を行うことができる。
【００３１】
合着部４１、被合着部４０の例としては、係合構造以外に、磁気吸引力を利用したものなど、種々の合着手段を利用できる。本例では、解除についてもディスプレイの裏面に回り込むことなく容易に操作でき、かつ確実に固定できる手段として、互いに近づく方向に所定以上の力が作用することで係合し、且つ反対の離れる方向に所定以上の力が作用することで係合状態が解除する係合部及び被係合部とされている。具体的には、図２（ａ）に示すように固定部材２及び支持アーム３（第２のアーム部３Ｂ）に対して着脱可能に取付けられる合着具５Ａ、被合着具５Ｂとされている。
【００３２】
合着具５Ａは、固定部材２の上下の横杆２１、２２の前面側に取付けられ、各横杆の間に渡設されるベース板５０と、該ベース板５０の後面側に突出し、上下に凹面５１ａ、５１ａを有して先端に膨出部５１ｂが形成される突起部５１とより構成されている。他方の被合着具５Ｂは、第２のアーム部３Ｂ（第２アーム３３）の途中部に被着される略コ字状に屈曲したベース板５２と、該ベース板５２のアーム部外面に対応する屈曲片５２ｃの外面に上下一対設けられた突起部５３、５３とより構成され、各突起部５３の対向面には、突起部５３内に内蔵のコイルばねによりばね付勢された球体５４が一部露出した状態で設けられている。
【００３３】
そして、合着具５Ａの突起部５１が、被合着具５Ｂの突起部５３、５３の間に入り込む位置関係とされ、突起部５１は所定以上の力で突起部５３、５３間に入り込むことで、先端の膨出部５１ｂがまず、上下から露出している球体５４、５４をばね付勢に抗して突起部５３、５３内に押し込みながら進入し、球体５４、５４を超えてさらに進入することで上下の凹面５１ａ、５１ａに球体５４，５４が係入し、これにより係合状態となる。反対に離間させるときは、同じく球体５４、５４を押し込む所定以上の力で引き抜くことで、膨出部５１ｂが球体５４の位置を超え、突起部５３、５３間から外れて解除状態となる。
【００３４】
また本実施形態では、結合手段４とは別に、第１のアーム部３Ａと第２のアーム部３Ｂが重なる方向に互いに回動した所定位置で、固定部材２を第１のアーム部３Ａに同じく解除可能に結合させる第２の結合手段６が設けられ、ディスプレイＤを被取付け面Ｗに近づけた位置に安定保持させることができるように構成されている。
【００３５】
結合手段６は、第１の結合手段４と同様である。ネジ止めや特定な方向に操作することで解除できるロック機構、或いは電気的な操作によって解除できる電気ロック機構なども含むが、本例では固定部材２における支持アーム３との枢支部２０から側方に離れた位置に設けられる合着部８１と、図４（ｂ）に示すように第１のアーム部３Ａと第２のアーム部３Ｂが重なるように回動させた位置で合着部８１に対向する支持アーム３の位置に設けられる被合着部８０とよりなる構成されている。
【００３６】
合着部８１、被合着部８０の例としては、合着部４１、被合着部４０と同様に考えることができ、係合構造以外に、磁気吸引力を利用したものなど、種々の合着手段を利用できる。本例では、合着部４１、被合着部４０と同様、互いに近づく方向に所定以上の力が作用することで係合し、且つ反対の離れる方向に所定以上の力が作用することで係合状態が解除する係合部及び被係合部とされている。具体的には、図２（ｂ）に示すように固定部材２及び支持アーム３（第１のアーム部３Ａ）に対して着脱可能に取付けられる合着具５Ｃ、被合着具５Ｄとされている。
【００３７】
合着具５Ｃは、ベース板５０が固定部材２の横杆２２に被着される略コ字状に屈曲したものであり、突起部５１がベース板５０の横杆２２後面側に対応する屈曲片５０ｃの外面に突出形成されていること以外は、合着具５Ａと同じ構造である。したがって、同一構造には同一符号を付し、説明は省略する。他方、被合着具５Ｄについても、被合着具５Ｂとまったく同様の構造であり、同じく説明を省略する。
【００３８】
そして、合着具５Ｃの突起部５１が、被合着具５Ｄの突起部５３、５３の間に入り込む位置関係とされ、突起部５１は所定以上の力で突起部５３、５３間に入り込むことで、先端の膨出部５１ｂがまず、上下から露出している球体５４、５４をばね付勢に抗して突起部５３、５３内に押し込みながら進入し、球体５４、５４を超えてさらに進入することで上下の凹面５１ａ、５１ａに球体５４，５４が係入し、これにより係合状態となる。反対に離間させるときは、同じく球体５４、５４を押し込む所定以上の力で引き抜くことで、膨出部５１ｂが球体５４の位置を超え、突起部５３、５３間から外れて解除状態となる。
【００３９】
図５及び図６は、第２のアーム部３Ｂと、第１のアーム部３Ａ、ベース部材３０又は被取付け面Ｗとの間に、両者の間の距離を、第２のアーム部３Ｂが第１のアーム部３Ａに対して所定角度回動した位置で解除可能に維持させる突っ張り部材７を設けた変形例である。これによれば、支持アーム３についても安定した姿勢を保持することができ、全体としてより安全性を高めることができる点で好ましい例である。
【００４０】
突っ張り部材７は、本例では中央部で下方に折れ曲がる屈曲アームとし、第２のアーム部３Ｂが所定角度回動した位置でまっすぐに伸ばされた状態となってある程度の力が作用しない限り折れ曲げを防止して突っ張り作用を生じ、解除については再度伸びる方向に一旦引っ張ることで解除される解除機能などを有する部材が用いられているが、これに限定されるものはなく、同様に距離が変化し、その伸びた状態を維持でき、かつ解除可能な機能を有する公知の部材を用いることができる。例えば、株式会社栃木屋製「上蓋用ステー（ストップ付）ＴＭ２７」のような直線状に伸びた状態でストップするストッパーを備えるヒンジ部材を用いることができる。
【００４１】
次に、図７〜図１０に基づき、第２実施形態を説明する。
【００４２】
第２実施形態は、支持アーム３として第１のアーム部３Ａ，第２のアーム部３Ｂが各々一本のアームからなるダブルアーム型として構成したものである。より具体的には、第１のアーム部３Ａを構成する第１アーム３５に対し、第２のアーム部３Ｂを構成する第２アーム３６が回動可能に連結され、第２のアーム３６の先端部は固定部材２の枢支部２０が固定される回動軸３８に対し、回動可能に支持されている。
【００４３】
結合手段４は、固定部材２を支持アーム３に解除可能に結合させる手段であり、第１実施形態と同様、ネジ止めや特定な方向に操作することで解除できるロック機構、或いは電気的な操作によって解除できる電気ロック機構なども含み、本例でも固定部材２における枢支部２０から側方に離れた位置に設けられる合着部４１と、図８に示すように所定の角度に固定部材２を回動させた位置で合着部４１に対向する支持アーム３（第２アーム３６）の位置に設けられる被合着部４０とより構成されている。
【００４４】
このようなダブルアーム型においても、結合手段４を設けることで所定の角度にディスプレイＤの向きを固定できる。図１０は、第１実施形態の変形例と同様、第２のアーム部３Ｂと、第１のアーム部３Ａ、ベース部材３０又は被取付け面Ｗとの間、並びに第１のアーム部３Ａとベース部材３０又は被取付け面Ｗとの間に、それぞれ突っ張り部材７を設けた変形例である。これによれば、支持アーム３についても安定した姿勢を保持することができ、全体としてより安全性を高めることができる点で好ましい例である。
【００４５】
その他の構成、変形例については、基本的に第１実施形態で説明した内容と同じであるため、同一構造には同一符号を付して説明を省略する。
【００４６】
次に、図１１〜図１３に基づき第３実施形態を説明する。
【００４７】
第３実施形態は、支持アーム３として先端部に固定部材２の枢支部２０が固定される回動軸３８を有する一本のアーム３７のみからなるシングルアーム型として構成したものである。結合手段４は、固定部材２を支持アーム３に解除可能に結合させる手段であり、第１、第２実施形態と同様、ネジ止めや特定な方向に操作することで解除できるロック機構、或いは電気的な操作によって解除できる電気ロック機構なども含み、本例でも固定部材２における枢支部２０から側方に離れた位置に設けられる合着部４１と、図１１に示すように所定の角度に固定部材２を回動させた位置で合着部４１に対向するアーム３７の位置に設けられる被合着部４０とより構成されている。
【００４８】
このようなシングルアーム型においても、結合手段４を設けることで所定の角度にディスプレイＤの向きを固定できる。図１３は、第１、第２実施形態の変形例と同様、支持アーム３と、ベース部材３０又は被取付け面Ｗとの間に突っ張り部材７を設けた変形例である。これによれば、支持アーム３についても安定した姿勢を保持することができ、全体としてより安全性を高めることができる点で好ましい例である。
【００４９】
その他の構成、変形例については、基本的に第１又は第２実施形態で説明した内容と同じであるため、同一構造には同一符号を付して説明を省略する。
【００５０】
次に、図１４に基づき第４実施形態を説明する。
【００５１】
第１〜第３実施形態で説明した結合手段４、６の代わりに、或いは結合手段４又は６とともに更に、支持アーム３（アーム３３、３４）と固定部材２の回動支持部８に、所定の角度だけ相対回動するごとに互いに回動不能に係合し、回動方向に所定以上の力が作用することで係合状態が解除する係合手段９を設けたものである。このような回動支持部の係合手段によっても、所定の角度にディスプレイＤの向きを固定できる。
【００５２】
回動支持部８は、具体的には固定部材２の枢支部２０が固定される回動軸３８とこの周りを回動するアーム３３、３４の筒状先端部３９であり、これに設けられる係合手段９として、回動軸３８の外面に露出し、コイルばね３８ｂによって突出方向にばね付勢された球体３８ａと、筒状先端部３９の内周面の周方向所定の角度おきに形成され、該球体３８ａが係入する複数の凹溝３９ａとより構成されている。球体３８ａは、回動軸３８の軸方向に直交する方向に設けられた貫通孔３８ｄの一端側に設けられ、内側に配置されるコイルばね３８ｂは他端側から締めこまれる調整ネジ３８ｃによって球体３８ａに加える付勢力を調整できるように構成されている。
【００５３】
このような係合手段９は、各アーム３３、３４ごとに合計二組設けてもよいし、いずれかのアームに対してのみ設けてもよい。また、本例の係合手段９は一例であって、同様に回動方向に所定以上の力が作用することで係合状態が解除するその他の公知の係合機構を採用することも勿論できる。
【００５４】
その他の構造、変形例等については基本的に上記第１〜第３実施形態と同様であり、その説明は省略する。
【００５５】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００５６】
１  ディスプレイハンガー
２  固定部材
３  支持アーム
３Ａ、３Ｂ  アーム部
４  結合手段
５Ａ  合着具
５Ｂ  被合着具
５Ｃ  合着具
５Ｄ  被合着具
６  結合手段
７  突っ張り部材
８  回動支持部
９  係合手段
２０  枢支部
２１、２２  横杆
２３、２４  縦杆
２５  取付け孔
２６  取付けネジ
３０  ベース部材
３１〜３７  アーム
３８  回動軸
３８ａ  球体
３８ｂ  コイルばね
３８ｄ  貫通孔
３８ｃ  調整ネジ
３９  筒状先端部
３９ａ  凹溝
４０  被合着部
４１  合着部
５０  ベース板
５０ｃ  屈曲片
５１  突起部
５１ａ  凹面
５１ｂ  膨出部
５２  ベース板
５２ｃ  屈曲片
５３  突起部
５４  球体
８０  被合着部
８１  合着部
Ｄ  ディスプレイ
Ｗ  被取付け面
【図１】
0006451105.tif 000002
【図２】
0006451105.tif 000003
【図３】
0006451105.tif 000004
【図４】
0006451105.tif 000005
【図５】
0006451105.tif 000006
【図６】
0006451105.tif 000007
【図７】
0006451105.tif 000008
【図８】
0006451105.tif 000009
【図９】
0006451105.tif 000010
【図１０】
0006451105.tif 000011
【図１１】
0006451105.tif 000012
【図１２】
0006451105.tif 000013
【図１３】
0006451105.tif 000014
【図１４】
0006451105.tif 000015